(57)【要約】【課題】災害発生時等に車両を速やかに避難または退避させる。【解決手段】自動運転車両は、自動運転車両を走行させるために用いられる走行用アクチュエータＡＣと、災害情報を受信する通信ユニット１７と、通信ユニット１７により災害情報が受信されると、自動運転車両を所定位置へ退避または避難するように走行用アクチュエータＡＣを制御するコントローラ２０と、を備える。走行用アクチュエータＡＣは、エンジンおよびモータジェネレータの動力を車輪に伝達する動力伝達径路に配置された変速機の変速比を変更する変速用アクチュエータを含み、コントローラ２０は、通信ユニット１７により災害情報が受信されると、変速機の変速比が大きくなるように変速用アクチュエータを制御する。【選択図】図２
2019206300.tif 000002
【特許請求の範囲】
【請求項１】
自動運転車両を走行させるために用いられる走行用アクチュエータと、
災害情報を受信する通信部と、
前記通信部により災害情報が受信されると、前記自動運転車両を所定位置へ退避または避難するように前記走行用アクチュエータを制御する制御部と、を備え、
前記走行用アクチュエータは、走行駆動源の動力を車輪に伝達する動力伝達径路に配置された変速機の変速比を変更する変速用アクチュエータを含み、
前記制御部は、前記通信部により災害情報が受信されると、前記変速機の変速比が大きくなるように前記変速用アクチュエータを制御することを特徴とする自動運転車両。
【請求項２】
請求項１に記載の自動運転車両において、
前記自動運転車両は、前記走行駆動源としての内燃機関と電動機とを有するハイブリッド車両であり、
前記走行用アクチュエータは、前記内燃機関の起動用アクチュエータを含み、
前記制御部は、前記内燃機関が非起動状態であるときに、前記通信部により災害情報が受信されると、さらに前記内燃機関が起動するように前記起動用アクチュエータを制御することを特徴とする自動運転車両。
【請求項３】
請求項１または２に記載の自動運転車両において、
前記災害情報は、互いに種別の異なる第１災害情報と第２災害情報とを含み、
前記制御部は、前記通信部により前記第１災害情報が受信されると、前記自動運転車両が所定の避難場所へ移動するように前記走行用アクチュエータを制御する一方、前記通信部により前記第２災害情報が受信されると、前記自動運転車両が路肩へ停車するように前記走行用アクチュエータを制御することを特徴とする自動運転車両。
【請求項４】
請求項１〜３のいずれか１項に記載の自動運転車両において、
前記通信部により災害情報が受信されると、乗員に対し警報を報知する報知部をさらに備え、
前記制御部は、前記報知部により警報が報知された後、乗員からのモード切換指令に応じて自動運転モードから手動運転モードに走行モードを切り換えることを特徴とする自動運転車両。
【発明の詳細な説明】
【技術分野】
【０００１】
本発明は、自動運転が可能な自動運転車両に関する。
【背景技術】
【０００２】
従来より、地震等の災害の発生時に、自動運転によって車両を路肩に退避させるようにした装置が知られている（例えば特許文献１参照）。この特許文献１記載の装置では、災害情報が受信された後に、停車可能なスペースを有する路肩を検出し、検出した路肩に車両が停車するように自動運転モードで車両を走行させる。
【先行技術文献】
【特許文献】
【０００３】
特許文献１：特開２０１０−２０３７１号公報
【発明の概要】
【発明が解決しようとする課題】
【０００４】
ところで、災害発生時には、車両を速やかに退避または避難させることが好ましい。しかしながら、上記特許文献１記載の装置は、災害発生時に単に走行モードを自動運転モードに切り換えて車両を退避させるように構成するだけであり、上記特許文献１記載の装置では、車両を速やかに退避または避難させることが困難である。
【課題を解決するための手段】
【０００５】
本発明の一態様である自動運転車両は、自動運転車両を走行させるために用いられる走行用アクチュエータと、災害情報を受信する通信部と、通信部により災害情報が受信されると、自動運転車両を所定位置へ退避または避難するように走行用アクチュエータを制御する制御部と、を備える。走行用アクチュエータは、走行駆動源の動力を車輪に伝達する動力伝達径路に配置された変速機の変速比を変更する変速用アクチュエータを含み、制御部は、通信部により災害情報が受信されると、変速機の変速比が大きくなるように変速用アクチュエータを制御する。
【発明の効果】
【０００６】
本発明によれば、災害発生時に車両を速やかに避難または退避させることができる。
【図面の簡単な説明】
【０００７】
【図１】本発明の実施形態に係る自動運転車両の主に走行駆動系の構成を概略的に示す図。
【図２】本発明の実施形態に係る自動運転車両の走行動作を制御する車両制御システムの全体構成を概略的に示すブロック図。
【図３】図２の記憶部に記憶されたシフトマップの一例を示す図。
【図４】本発明の実施形態に係る車両制御システムの要部構成を示すブロック図。
【図５】図４のコントローラで実行される処理の一例を示すフローチャート。
【発明を実施するための形態】
【０００８】
以下、図１〜図５を参照して本発明の実施形態について説明する。本発明の実施形態に係る自動運転車両（以下、単に車両と呼ぶこともある）は、車両が災害情報を受信したときに、車両を自動運転により所定位置へ退避または避難可能に構成される。災害情報には、災害が発生したとの情報および災害が発生するおそれがあるとの情報が含まれる。災害には、地震、津波、竜巻、洪水、土砂崩れ等の自然災害の他、弾道ミサイルの落下等の各種緊急事態の発生情報が含まれる。
【０００９】
図１は、本実施形態に係る自動運転車両１００の走行駆動系の概略構成を示す図である。車両１００は、ドライバによる運転操作が不要な自動運転モードでの走行だけでなく、ドライバの運転操作による手動運転モードでの走行も可能である。
【００１０】
図１に示すように、車両１００は、走行駆動源としてエンジン１およびモータジェネレータ２を有するハイブリッド車両として構成される。エンジン１およびモータジェネレータ２と車輪４との間の動力伝達径路には変速機３が配置される。エンジン１およびモータジェネレータ２の動力は、変速機３を介して車輪４に伝達され、これにより車両１００が走行する。なお、モータジェネレータ２を省略して内燃機関車として車両１００を構成することもでき、エンジン１を省略して電気自動車として車両１００を構成することもできる。
【００１１】
エンジン１は、スロットルバルブ１ａを介して供給される吸入空気とインジェクタ１ｂから噴射される燃料とを適宜な割合で混合し、点火プラグ等により点火して燃焼させ、これにより回転動力を発生する内燃機関（例えばガソリンエンジン）である。なお、ガソリンエンジンに代えてディーゼルエンジン等、各種エンジンを用いることもできる。さらに車両１００は、不図示のバッテリから供給される電力によって駆動するスタータモータ５を備え、スタータモータ５の駆動によりクランクシャフトを回転させ、エンジン１を始動することができる。モータジェネレータ２の動力によりエンジン１を始動するようにしてもよく、その場合にはスタータモータ５が不要である。
【００１２】
モータジェネレータ２は、回転可能なロータと、ロータの周囲に配置されたステータとを有し、モータおよび発電機として機能することができる。すなわち、モータジェネレータ２のロータは、不図示の電力制御ユニットを介してバッテリからステータのコイルに供給される電力により駆動する。このとき、モータジェネレータ２はモータとして機能する。一方、モータジェネレータ２のロータの回転軸が外力により駆動されると、モータジェネレータ２は発電し、電力制御ユニットを介して電力がバッテリに蓄電される。このとき、モータジェネレータ２は発電機として機能する。
【００１３】
変速機３は、エンジン１およびモータジェネレータ２から入力された回転を変速して出力するとともに、エンジン１およびモータジェネレータ２から入力されたトルクを変換して出力する。変速機３は、例えば複数の変速段に応じて変速比を段階的に変更可能な有段変速機である。なお、変速比を無段階に変更可能な無段変速機を、変速機３として用いることもできる。図示は省略するが、トルクコンバータを介してエンジン１からの動力を変速機３に入力してもよい。
【００１４】
変速機３は、例えばドグクラッチや摩擦クラッチなどの係合機構３ａを備える。油圧制御装置６は、電気信号により作動する制御弁（電磁弁や電磁比例弁など）を含む。制御弁６ａはソレノイドに供給される電気信号に応じて駆動し、制御弁６ａの駆動に応じて油圧制御装置６が油圧源から係合機構３ａへの油の流れを制御することにより、変速機３の変速段を変更することができる。
【００１５】
スロットルバルブ１ａの開度、インジェクタ１ｂからの燃料の噴射量（噴射時期、噴射時間）、モータジェネレータ２の駆動、スタータモータ５の駆動、および制御弁６ａの駆動は、車両１００に搭載されたコントローラ２０（図２）により制御される。
【００１６】
図２は、車両１００の走行動作を制御する車両制御システム２００の全体構成を概略的に示すブロック図である。図２に示すように、車両制御システム２００は、車両１００に搭載された車載装置１０１と、ネットワーク２０１を介して車載装置１０１と通信可能なサーバ装置５０とを有する。ネットワーク２０１には、インターネット網や携帯電話網等に代表される公衆無線通信網だけでなく、所定の管理地域ごとに設けられた閉鎖的な通信網、例えば無線ＬＡＮ、Ｗｉ−Ｆｉ（登録商標）、Ｂｌｕｅｔｏｏｔｈ（登録商標）等も含まれる。
【００１７】
サーバ装置５０は、例えば単一のサーバとして、あるいは機能ごとに別々のサーバから構成される分散サーバとして構成される。クラウドサーバと呼ばれるクラウド環境に作られた分散型の仮想サーバとしてサーバ装置５０を構成することもできる。サーバ装置５０は、ＣＰＵ，ＲＯＭ，ＲＡＭ、およびその他の周辺回路を有する演算処理装置を含んで構成され、機能的構成として、通信部５１と、記憶部５２と、災害通知部５３とを有する。
【００１８】
通信部５１は、ネットワーク２０１を介し車載装置１０１と無線通信可能に構成されるとともに、無線または有線で各種の緊急情報（災害情報）を外部から受信可能に構成される。通信部５１が受信する緊急情報には、災害情報共有システム（通称Ｌアラート）により配信される緊急情報、緊急警報放送システム（略称ＥＷＳ）により配信される緊急警報信号、全国瞬時警報システム（通称Ｊ−ＡＬＥＲＴ）により配信される緊急情報、緊急情報ネットワークシステム（通称Ｅｍ−Ｎｅｔ）により配信される緊急情報などが含まれる。すなわち、自然災害情報と自然災害情報以外の情報とが含まれる。通信部５１は、車載装置１０１との通信により車両１００の位置情報も取得する。
【００１９】
記憶部５２は、災害が発生したと仮定したときの、当該災害の被害が及ぶ地域に位置する車両の避難場所および避難場所に到るまでの典型的なあるいは推奨する避難経路等を予め記憶する。避難場所は、自然災害の種類に対応付けて記憶される。例えば津波に対応する避難場所として、高台に位置する大型スーパーの駐車場などが記憶される。避難経路を記憶部５２に記憶せずに、サーバ装置５０のＣＰＵ（例えば図示しない経路演算部）で演算するようにしてもよい。
【００２０】
災害通知部５３は、通信部５１が各種の緊急情報、すなわち災害情報を受信すると、通信部５１を介して受信した車両１００の位置情報に基づいて、災害情報を送信すべき車両１００を特定する。つまり、退避や避難を要する地域に位置する車両１００を特定する。そして、例えばテレマティクスを活用して、特定された車両１００に災害情報を送信する。このとき、災害通知部５３は、災害情報と車両１００の位置情報とに基づき、記憶部５２を参照して、避難を要する地域に位置する車両１００の避難場所を決定する。そして、決定した避難場所を含む避難指令を、対応する車両１００の車載装置１０１に、通信部５１を介して送信する。送信する避難指令には、避難場所に到るまでの経路情報が含まれる。
【００２１】
車載装置１０１の構成について説明する。車載装置１０１は、コントローラ２０と、コントローラ２０にそれぞれ電気的に接続された外部センサ群１１と、内部センサ群１２と、入出力装置１３と、ＧＰＳ受信機１４と、地図データベース１５と、ナビゲーション装置１６と、通信ユニット１７と、走行用アクチュエータＡＣとを主に有する。
【００２２】
外部センサ群１１は、車両１００の周辺情報である外部状況を検出する複数のセンサの総称である。例えば外部センサ群１１には、車両１００の全方位の照射光に対する散乱光を測定して車両１００から周辺の障害物までの距離を測定するライダ、電磁波を照射し反射波を検出することで車両１００の周辺の他車両や障害物等を検出するレーダ、車両１００に搭載され、ＣＣＤやＣＭＯＳ等の撮像素子を有して車両１００の周辺（前方、後方および側方）を撮像するカメラなどが含まれる。
【００２３】
内部センサ群１２は、車両１００の走行状態を検出する複数のセンサの総称である。例えば内部センサ群１２には、車両１００の車速を検出する車速センサ、車両１００の前後方向の加速度および左右方向の加速度（横加速度）をそれぞれ検出する加速度センサ、エンジン１の回転数を検出するエンジン回転数センサ、車両１００の重心の鉛直軸回りの回転角速度を検出するヨーレートセンサ、スロットルバルブ１ａの開度（スロットル開度）を検出するスロットル開度センサなどが含まれる。手動運転モードでのドライバの運転操作、例えばアクセルペダルの操作、ブレーキペダルの操作、ステアリングの操作等を検出するセンサも内部センサ群１２に含まれる。
【００２４】
入出力装置１３は、ドライバから指令が入力されたり、ドライバに対し情報が出力されたりする装置の総称である。例えば入出力装置１３には、操作部材の操作によりドライバが各種指令を入力する各種スイッチ、ドライバが音声で指令を入力するマイク、ドライバに表示画像を介して情報を提供する表示部、ドライバに音声で情報を提供するスピーカなどが含まれる。各種スイッチには、自動運転モードおよび手動運転モードのいずれかを指令する手動自動切換スイッチが含まれる。
【００２５】
手動自動切換スイッチは、例えばドライバが手動操作可能なスイッチとして構成され、スイッチ操作に応じて、自動運転機能を有効化した自動運転モードまたは自動運転機能を無効化した手動運転モードへの切換指令を出力する。手動自動切換スイッチの操作によらず、所定の走行条件が成立したときに、手動運転モードから自動運転モードへの切換、あるいは自動運転モードから手動運転モードへの切換が指令されるようにしてもよい。すなわち、手動自動切換スイッチが自動的に切り換わることで、モード切換が手動ではなく自動で行われるようにしてもよい。自動運転モードには、予め乗員が設定した目的地へ車両１００を自動走行させる通常の自動運転モードと、災害情報を受信したときに目的地とは異なる所定位置へ速やかに車両を移動させる災害運転モードとが含まれる。
【００２６】
ＧＰＳ受信機（ＧＰＳセンサ）１４は、複数のＧＰＳ衛星からの測位信号を受信し、これにより車両１００の絶対位置（緯度、経度など）を測定する。測定された車両１００の絶対位置は、通信ユニット１７を介してサーバ装置５０に送信される。
【００２７】
地図データベース１５は、ナビゲーション装置１６に用いられる一般的な地図情報を記憶する装置であり、例えばハードディスクにより構成される。地図情報には、道路の位置情報、道路形状（曲率など）の情報、交差点や分岐点の位置情報が含まれる。なお、地図データベース１５に記憶される地図情報は、コントローラ２０の記憶部２２に記憶される高精度な地図情報とは異なる。
【００２８】
ナビゲーション装置１６は、ドライバにより入力された目的地までの道路上の目標経路を探索するとともに、目標経路に沿った案内を行う装置である。目的地の入力および目標経路に沿った案内は、入出力装置１３を介して行われる。目標経路は、ＧＰＳ受信機１４により測定された車両１００の現在位置と、地図データベース１５に記憶された地図情報とに基づいて演算される。目的地は、サーバ装置５０からの指令により自動的に設定することもでき、これにより災害時に車両１００を避難場所に移動することができる。
【００２９】
通信ユニット１７は、ネットワーク２０１を介してサーバ装置５０と通信し、サーバ装置５０から災害情報等を受信する。通信ユニット１７は、地図情報および交通情報などを定期的に、あるいは任意のタイミングで各種サーバ装置５０から取得することもできる。取得した地図情報は、地図データベース１５や記憶部２２に出力され、地図情報が更新される。取得した交通情報には、渋滞情報や、信号が赤から青に変わるまでの残り時間等の信号情報が含まれる。
【００３０】
走行用アクチュエータＡＣは、車両１００の走行動作に関する各種機器を作動するアクチュエータである。走行用アクチュエータＡＣには、エンジン１のスロットルバルブ１ａの開度（スロットル開度）を調整するスロットル用アクチュエータ、エンジン始動用のアクチュエータ（スタータモータ５）、モータジェネレータ２、変速機３の係合機構３ａへの油の流れを制御して変速機３の変速段を変更する変速用アクチュエータ（制御弁６ａのソレノイドなど）、制動装置を作動するブレーキ用アクチュエータ、およびステアリング装置を駆動する操舵用アクチュエータなどが含まれる。
【００３１】
コントローラ２０は、電子制御ユニット（ＥＣＵ）により構成される。なお、エンジン制御用ＥＣＵ、変速機制御用ＥＣＵ等、機能の異なる複数のＥＣＵを別々に設けることができるが、図２では、便宜上、これらＥＣＵの集合としてコントローラ２０が示される。コントローラ２０は、ＣＰＵ等の演算部２１と、ＲＯＭ，ＲＡＭ，ハードディスク等の記憶部２２と、インターフェース等の図示しないその他の周辺回路とを有するコンピュータを含んで構成される。
【００３２】
記憶部２２には、車線の中央位置の情報や車線位置の境界の情報等を含む高精度の詳細な地図情報が記憶される。より具体的には、地図情報として、道路情報、交通規制情報、住所情報、施設情報、電話番号情報等が記憶される。道路情報には、高速道路、有料道路、国道などの道路の種別を表す情報、道路の車線数、各車線の幅員、道路の勾配、道路の３次元座標位置、車線のカーブの曲率、車線の合流ポイントおよび分岐ポイントの位置、道路標識等の情報が含まれる。交通規制情報には、工事等により車線の走行が制限または通行止めとされている情報などが含まれる。記憶部２２には、変速動作の基準となるシフトマップ（変速線図）、各種制御のプログラム、プログラムで用いられる閾値等の情報も記憶される。
【００３３】
演算部２１は、自動走行に関する機能的構成として、自車位置認識部２３と、外界認識部２４と、行動計画生成部２５と、走行制御部２６とを有する。
【００３４】
自車位置認識部２３は、ＧＰＳ受信機１４で受信した車両１００の位置情報および地図データベース１５の地図情報に基づいて、地図上の車両１００の位置（自車位置）を認識する。記憶部２２に記憶された地図情報（建物の形状などの情報）と、外部センサ群１１が検出した車両１００の周辺情報とを用いて自車位置を認識してもよく、これにより自車位置を高精度に認識することができる。なお、道路上や道路脇の外部に設置されたセンサで自車位置を測定可能であるとき、そのセンサと通信ユニット１７を介して通信することにより、自車位置を高精度に認識することもできる。
【００３５】
外界認識部２４は、ライダ、レーダ、カメラ等の外部センサ群１１からの信号に基づいて車両１００の周囲の外部状況を認識する。例えば車両１００の周辺を走行する周辺車両（前方車両や後方車両）の位置や速度や加速度、車両１００の周囲に停車または駐車している周辺車両の位置、および他の物体の位置や状態などを認識する。他の物体には、標識、信号機、道路の境界線や停止線、建物、ガードレール、電柱、看板、歩行者、自転車等が含まれる。他の物体の状態には、信号機の色（赤、青、黄）、歩行者や自転車の移動速度や向きなどが含まれる。
【００３６】
行動計画生成部２５は、例えばナビゲーション装置１６で演算された目標経路と、自車位置認識部２３で認識された自車位置と、外界認識部２４で認識された外部状況とに基づいて、現時点から所定時間先までの車両１００の走行軌道（目標軌道）を生成する。目標経路上に目標軌道の候補となる複数の軌道が存在するときには、行動計画生成部２５は、その中から法令を順守し、かつ効率よく安全に走行する等の基準を満たす最適な軌道を選択し、選択した軌道を目標軌道とする。そして、行動計画生成部２５は、生成した目標軌道に応じた行動計画を生成する。
【００３７】
行動計画には、現時点から所定時間Ｔ（例えば５秒）先までの間に単位時間Δｔ（例えば０．１秒）毎に設定される走行計画データ、すなわち単位時間Δｔ毎の時刻に対応付けて設定される走行計画データが含まれる。走行計画データは、単位時間Δｔ毎の車両１００の位置データと車両状態のデータとを含む。位置データは、例えば道路上の２次元座標位置を示す目標点のデータであり、車両状態のデータは、車速を表す車速データと車両１００の向きを表す方向データなどである。走行計画は単位時間Δｔ毎に更新される。
【００３８】
行動計画生成部２５は、現時点から所定時間Ｔ先までの単位時間Δｔ毎の位置データを時刻順に接続することにより、目標軌道を生成する。このとき、目標軌道上の単位時間Δｔ毎の各目標点の車速（目標車速）に基づいて、単位時間Δｔ毎の加速度（目標加速度）を算出する。すなわち、行動計画生成部２５は、目標車速と目標加速度とを算出する。なお、目標加速度を走行制御部２６で算出するようにしてもよい。
【００３９】
走行制御部２６は、自動運転モードにおいて、行動計画生成部２５で生成された目標軌道に沿って車両１００が目標車速および目標加速度で走行するように走行用アクチュエータＡＣを制御する。すなわち、単位時間Δｔ毎の目標点を車両１００が通過するように、スロットル用アクチュエータ、モータジェネレータ２、変速用アクチュエータ、ブレーキ用アクチュエータ、および操舵用アクチュエータなどをそれぞれ制御する。
【００４０】
変速用アクチュエータは、例えば予め定められたシフトマップに基づいて制御される。図３は、予め記憶部２２（図２）に記憶されたシフトマップの一例を示す図である。図中、横軸は車速Ｖ、縦軸は要求駆動力Ｆである。なお、要求駆動力Ｆはアクセル開度（自動運転モードでは擬似的アクセル開度）またはスロットル開度に一対一で対応し、アクセル開度またはスロットル開度が大きくなるに従い要求駆動力Ｆは大きくなる。特性ｆ１は、ｎ＋１段からｎ段へのダウンシフトに対応するダウンシフト線の一例であり、特性ｆ２は、ｎ段からｎ＋１段へのアップシフトに対応するアップシフト線の一例である。
【００４１】
図３に示すように、例えば作動点Ｑ１からのダウンシフトに関し、要求駆動力Ｆが一定のまま車速Ｖが減少して、作動点Ｑ１がダウンシフト線（特性ｆ１）を超えると（矢印Ａ）、変速機３がｎ＋１段からｎ段へとダウンシフトする。車速Ｖが一定のまま要求駆動力Ｆが増加した場合も、作動点Ｑ１がダウンシフト線を超えて、変速機３がダウンシフトする。
【００４２】
一方、例えば作動点Ｑ２からのアップシフトに関し、要求駆動力Ｆが一定のまま車速Ｖが増加して、作動点Ｑ２がアップシフト線（特性ｆ２）を越えると（矢印Ｂ）、変速機３はｎ段からｎ＋１段へとアップシフトする。車速Ｖが一定のまま要求駆動力Ｆが減少した場合も、作動点Ｑ２がアップシフト線を越えて変速機３がアップシフトする。なお、変速段が大きいほど（ハイ側であるほど）、ダウンシフト線およびアップシフト線は、高車速側にずらして設定される。
【００４３】
本発明の実施形態に係る自動運転車両１００は、災害情報を受信したときに自動運転により車両１００を所定位置へ退避または避難可能に構成する車両制御装置を有する。図４は、車両制御装置６０の要部構成を示すブロック図である。なお、車両制御装置６０は、自動運転に係る構成、すなわち図２の車載装置１０１を有するが、図４では、図２の構成のうちの一部の図示を省略する。
【００４４】
図４に示すように、コントローラ２０には、通信ユニット１７と、車速センサ１２ａと、手動自動切換スイッチ１３ａと、スピーカ１３ｂと、制御弁６ａと、スタータモータ５とが接続される。手動自動切換スイッチ１３ａは、手動運転モードと自動運転モードとを切り換えるスイッチであり、例えば運転席に設けられた手動運転選択用釦の操作により手動運転モードに切り換えられ、自動運転選択用釦の操作により自動運転モードに切り換えられる。車速センサ１２ａは、内部センサ群１２の一部を構成する。手動自動切換スイッチ１３ａとスピーカ１３ｂとは、入出力装置１３の一部を構成する。コントローラ２０は、機能的構成として、災害判定部２７と、音声制御部２８と、走行制御部２６とを有する。
【００４５】
災害判定部２７は、通信ユニット１７を介して受信した災害情報に基づいて災害情報の種類を判定する。すなわち、所定の避難場所に避難すべき災害情報（便宜上、これを避難災害情報と呼ぶ）であるか、それとも速やかに路肩に停車して車内から退避すべきか災害情報（便宜上、これを退避災害情報と呼ぶ）であるかを判定する。例えば受信した災害情報が津波警報、噴火警報、大雨警報であるときは、避難災害情報であると判定し、受信した災害情報が弾道ミサイルの発射警報や地震速報であるときは、退避災害情報と判定する。
【００４６】
音声制御部２８は、スピーカ１３ｂに制御信号を出力し、通信ユニット１７を介して受信した災害情報に対応した警報を、スピーカ１３ｂから出力させる。このとき、音声制御部２８は、手動自動切換スイッチ１３ａが操作されない限り所定時間後に災害運転モードに自動的に切り換わることを、併せてスピーカ１３ｂから報知するようにしてもよい。
【００４７】
走行制御部２６は、通信ユニット１７を介して災害情報を受信すると、制御弁６ａ（厳密には制御弁６ａのソレノイド）に制御信号を出力し、変速機３をダウンシフトさせる。より具体的には、走行制御部２６は、予め記憶部２２に記憶された車速と駆動力との関係を表す変速段毎の走行性能曲線に基づいて、車速センサ１２ａにより検出された車速に対応した最小変速段を特定し、最小変速段を限度として所定段だけダウンシフトさせる。ダウンシフトの程度は現在の変速段と最小変速段との差に応じて決定する。例えば差が大きいほど、ダウンシフトの程度を大きくする。なお、例えば図３のシフトマップ上の作動点Ｑ１の要求駆動力を所定量増加させ、あるいはダウンシフト線の特性ｆ１を高車速側に所定量シフトさせることにより、ダウンシフトさせるようにしてもよい。変速機３をダウンシフトさせることで、走行駆動力を増加することができ、車両１００の迅速な加減速が可能となる。
【００４８】
通信ユニット１７を介して災害情報を受信したとき、車両１００がエンジン１を停止してモータジェネレータ２のみを駆動源として走行、すなわちＥＶ走行している場合、走行制御部２６はスタータモータ５に制御信号を出力し、エンジン１を始動させる。すなわち、エンジン１とモータジェネレータ２の双方を駆動源として車両１００を走行、つまりハイブリッド走行させる。これにより、走行駆動力を増大することができる。
【００４９】
さらに走行制御部２６は、音声制御部２８での処理によりスピーカ１３ｂから警報が出力されてから所定時間内に手動自動切換スイッチ１３ａが操作されたか否か、すなわち自動運転選択用釦および手動運転選択用釦のいずれかが操作されたか否かを判定する。走行制御部２６は、所定時間内に手動自動切換スイッチ１３ａが操作されない、すなわち自動運転選択用釦および手動運転選択用釦のいずれも操作されないと判定すると、走行モードを災害運転モードに切り換える。
【００５０】
このとき、受信した災害情報が災害判定部２７で避難災害情報であると判定されると、走行制御部２６は、通信ユニット１７が受信した避難場所、すなわち災害の種類に対応してサーバ装置５０で決定された避難場所を、車両１００の目的地として設定する。以降、走行制御部２６は、この目的地に向けて車両１００を自動運転で走行するように走行用アクチュエータＡＣ（図２）を制御する。この場合、予め変速機３をダウンシフトしているため、車両１００の走行駆動力を迅速に増加させることができ、車両１００を速やかに避難場所まで移動することができる。
【００５１】
一方、受信した災害情報が災害判定部２７で退避災害情報であると判定されると、走行制御部２６は、外部センサ群１１（カメラなど）からの信号に基づいて退避可能な路肩を検出し、路肩に車両１００を停車させる。この場合、予め変速機３をダウンシフトしているため、エンジンブレーキの作動により車両１００を速やかに路肩に停車することができる。
【００５２】
これに対し、スピーカ１３ｂから警報を報知した後、所定時間内にドライバの手動自動切換スイッチ１３ａの操作により手動運転モードが選択されると、走行モードを手動運転モードに切り換える（手動運転モード時には手動運転モードを継続する）。この状態では、走行制御部２６は、ドライバのアクセルペダル、ブレーキペダル、ステアリング等の操作に応じて走行用アクチュエータＡＣを制御する。
【００５３】
また、スピーカ１３ｂから警報を報知した後、所定時間内にドライバの手動自動切換スイッチ１３ａの操作により自動運転モードが選択されると、走行モードを自動運転モードに切り換える（自動運転モード時には自動運転モードを継続する）。この状態では、走行制御部２６は、ドライバが予め定めた目的地に向けて自動運転で車両が走行するように走行用アクチュエータＡＣを制御する。
【００５４】
図５は、予め定められたプログラムに従い図４のコントローラ２０で実行される処理の一例を示すフローチャートである。このフローチャートに示す処理は、例えば手動自動切換スイッチ１３ａにより自動運転モードが選択されると開始され、所定周期で繰り返される。
【００５５】
まず、ステップＳ１で、通信ユニット１７を介して災害情報（緊急情報）を受信したか否かを判定する。ステップＳ１で否定されるとステップＳ２に進み、通常の自動運転モードによる自動運転を継続する。すなわち、この場合には、予め乗員が設定した目的地へ向けて車両１００が自動走行するように走行用アクチュエータＡＣに制御信号を出力する。一方、ステップＳ１で肯定されるとステップＳ３に進む。
【００５６】
ステップＳ３では、車速センサ１２ａにより検出された車速に応じた最小変速段を特定した上で、制御弁６ａに制御信号を出力し、現在の変速段と最小変速段との差に応じて変速機３をダウンシフトさせる。このとき、エンジン１が始動されていなければ、スタータモータ５に制御信号を出力し、エンジン１を始動させる。次いで、ステップＳ４で、スピーカ１３ｂに制御信号を出力し、ステップＳ１で受信した災害情報に対応した警報を出力する。次いで、ステップＳ５で、手動自動切換スイッチ１３ａにより自動運転の選択操作がなされたか否か、すなわち自動運転選択用釦が操作されたか否かを判定する。ステップＳ５で肯定されるとステップＳ２に進み、否定されるとステップＳ６に進む。
【００５７】
ステップＳ６では、手動自動切換スイッチ１３ａにより手動運転の選択操作がなされたか否か、すなわち手動運転選択用釦が操作されたか否かを判定する。ステップＳ６で肯定されるとステップＳ７に進み、走行モードを手動運転モードに切り換える。この場合、ドライバのアクセルペダルやブレーキペダル等の操作に応じて走行用アクチュエータＡＣに制御信号を出力する。一方、ステップＳ６で否定されるとステップＳ８に進む。ステップＳ８では、ステップＳ４で警報が出力されてから、自動運転選択用釦および手動運転選択用釦のいずれも操作されずに所定時間が経過したか否かを判定する。ステップＳ８で肯定されるとステップＳ９に進み、否定されるとステップＳ２に進む。
【００５８】
ステップＳ９では、ステップＳ１で受信した災害情報が津波警報であるか否かを判定する。ステップＳ９で否定されるとステップＳ１０に進み、ステップＳ１で受信した災害情報が噴火警報であるか否かを判定する。ステップＳ１０で否定されるとステップＳ１１に進み、ステップＳ１で受信した災害情報が大雨警報であるか否かを判定する。ステップＳ１１で否定されるとステップＳ１２に進み、ステップＳ１で受信した災害情報がミサイル発射の警報であるか否かを判定する。ステップＳ１２で否定されるとステップＳ１３に進み、ステップＳ１で受信した災害情報が地震速報であるか否かを判定する。ステップＳ１３で否定されるとステップＳ２に進む。
【００５９】
ステップＳ９、ステップＳ１０、ステップＳ１１のいずれかが肯定されると、すなわち災害情報が避難災害情報のときは、ステップＳ１４に進む。ステップＳ１４では、通信ユニット１７が受信した避難場所、すなわち災害の種類に応じてサーバ装置５０で決定された避難場所を、車両１００の目的地として設定するとともに、その目的地に向けて車両１００が走行するように走行用アクチュエータＡＣを制御する。また、ステップＳ１２、ステップＳ１３のいずれかが肯定されると、すなわち災害情報が退避災害情報のときは、ステップＳ１５に進む。ステップＳ１５では、外部センサ群１１からの信号に基づいて車両１００を停車させることが可能な路肩を検出し、その路肩に車両１００を停車させるように走行用アクチュエータＡＣを制御する。
【００６０】
本発明の実施形態に係る自動運転車両１００の動作をより具体的に説明する。車両１００が例えば自動運転モードでＥＶ走行しているときに、通信ユニット１７を介して災害情報を受信すると、変速機３がダウンシフトするするとともに、エンジン１が始動する（ステップＳ３）。さらに災害情報に対応した警報がスピーカ１３ｂから出力される（ステップＳ４）。このとき、ドライバが所定時間以内に手動自動切換スイッチ１３ａの操作により手動運転モードを選択すると、走行モードが手動モードに切り換わる（ステップＳ７）。これにより車両１００は、ドライバによるアクセルペダル、ブレーキペダル、ステアリングハンドル等の操作に応じて走行する。手動運転モードで走行を開始するとき、予め変速機３がダウンシフトし、かつ、エンジン１が始動しているため（ステップＳ３）、ドライバによる操作による車両１００の迅速な走行が可能である。
【００６１】
警報がスピーカ１３ｂから出力されてから所定時間以内に、ドライバが手動自動切換スイッチ１３ａの操作により自動運転モードを選択すると、自動運転モードが継続される（ステップＳ２）。これにより車両１００は、予めドライバが設定した目的地に向けて自動運転による走行を継続する。この場合も、変速機３がダウンシフトし、かつエンジン１が始動しているため（ステップＳ３）、走行駆動力が大きく、車両１００の迅速な走行が可能である。
【００６２】
このように、警報が出力されてから所定時間以内に手動自動切換スイッチ１３ａが操作されると、スイッチ操作に対応した走行モード（手動運転モードまたは自動運転モード）で車両１００が走行する。このため、緊急時であっても、ドライバの意思を反映した走行が可能である。
【００６３】
一方、警報がスピーカ１３ｂから出力されてから所定時間以内に、手動自動切換スイッチ１３ａが操作されないとき、走行モードが災害運転モードに切り換わる。このとき、災害情報が津波警報、噴火警報、大雨警報などの避難災害であれば、例えば高台などに速やかに避難することが好ましい。このため、サーバ装置５０で定められた避難場所が車両１００の目的地として設定され、車両はその避難場所に向けて自動運転で走行する（ステップＳ１４）。災害運転モードの開始時には、変速機３がダウンシフトし、かつ、エンジン１が始動しているため（ステップＳ３）、走行駆動力を増加することができ、避難場所に向けて車両１００を迅速に移動することができる。
【００６４】
走行モードが避難運転モードに切り換わるとき、災害情報が弾道ミサイル発射の警報や地震速報などの退避災害であれば、車両１００を直ちに安全な場所に停車して乗員が車両１００から退避することが好ましい。あるいは、高速道路等においては停車した車内に留まることが好ましい。このため、車載装置１０１は路肩を検出し、検出した路肩に車両１００を自動運転で停車させる（ステップＳ１５）。この場合、変速機３がダウンシフトし、かつ、エンジン１が始動しているため（ステップＳ３）、エンジンブレーキが作動し、車両１００を迅速に路肩に停車することができる。
【００６５】
本実施形態によれば以下のような作用効果を奏することができる。
（１）本実施形態に係る自動運転車両１００は、車両１００を走行させるために用いられる走行用アクチュエータＡＣと、災害情報を受信する通信ユニット１７と、通信ユニット１７により災害情報が受信されると、車両１００を避難場所や路肩などの所定位置へ退避または避難するように走行用アクチュエータＡＣを制御するコントローラ２０と、を備える（図２）。走行用アクチュエータＡＣは、エンジン１およびモータジェネレータ２の動力を車輪４に伝達する動力伝達径路に配置された変速機３の変速比を変更する変速用アクチュエータ（制御弁６ａなど）を含み、コントローラ２０は、通信ユニット１７により災害情報が受信されると、変速機３がダウンシフトするように変速用アクチュエータを制御する。
【００６６】
これにより災害発生時に変速機３がダウンシフトするため、車両１００の走行駆動力を増大することができる。したがって、車両１００の加速性および減速性が向上し、緊急時に車両１００を速やかに避難場所に避難または路肩などに退避することができる。
【００６７】
（２）自動運転車両１００は、エンジン１とモータジェネレータ２とを有するハイブリッド車両として構成される（図１）。走行用アクチュエータＡＣは、エンジン１の起動用のスタータモータ５を含む（図１）。コントローラ２０は、エンジン１が非起動状態であるときに、通信ユニット１７により災害情報が受信されると、さらにエンジン１が起動するようにスタータモータ５を制御する。これによりエンジン１およびモータジェネレータ２を駆動源として車両１００が走行するようになるため、災害発生時の車両１００の走行駆動力が増大し、車両１００を迅速に避難または退避することができる。
【００６８】
（３）災害情報は、互いに種別の異なる避難災害情報と退避災害情報とを含む。コントローラ２０は、通信ユニット１７により避難災害情報が受信されると、所定の避難場所へ移動するように走行用アクチュエータＡＣを制御する一方、通信ユニット１７により退避災害情報が受信されると、路肩へ停車するように走行用アクチュエータＡＣを制御する。このように災害の種別に応じて異なる目的地が設定されるため、災害の内容を考慮して乗員を安全な場所に避難または退避させることができる。
【００６９】
（４）自動運転車両１００は、通信ユニット１７により災害情報が受信されると、乗員に対し警報を報知するスピーカ１３ｂをさらに備える（図４）。コントローラ２０は、スピーカ１３ｂにより警報が報知された後、手動自動切換スイッチ１３ａの操作によるモード切換指令に応じて自動運転モードから手動運転モードに走行モードを切り換える。これにより災害発生時に乗員の操作により自動運転を解除することができ、乗員の意思を反映した車両１００の走行が可能である。
【００７０】
（５）コントローラ２０は、スピーカ１３ｂにより警報が報知されてから所定時間内に手動自動切換スイッチ１３ａを介してモード切換指令が出力されないとき、災害運転モードに自動的に移行する。換言すると、災害情報を受信すると、車両１００は即座に移動できる状態で所定時間待機し（ステップＳ３）、ドライバに手動運転を選択するか自動運転を選択するかを判断する時間を与える。これにより、ドライバの意思に沿った運転が行われるようになり、ドライバにとっての満足感が高い。
【００７１】
上記実施形態は種々の形態に変更することができる。以下、変形例について説明する。上記実施形態では、車両１００をハイブリッド車両として構成し、通信部としての通信ユニット１７が災害情報を受信したときに、変速機３をダウンシフトするだけでなく、エンジン１を非起動状態においてはエンジン１を起動するようにしたが、少なくとも変速比が大きくなるように変速用アクチュエータを制御するのであれば、制御部としてのコントローラ２０の構成はいかなるものでもよい。上記実施形態では、ソレノイドへの通電に応じて駆動する制御弁６ａを変速用アクチュエータとして用いたが、電動モータにより変速機構が駆動されるようにしてもよく、変速用アクチュエータの構成は上述したものに限らない。スタータモータ５以外によってエンジン１を起動するようにしてもよく、起動用アクチュエータの構成も上述したものに限らない。
【００７２】
上記実施形態では、避難災害情報として津波警報、噴火警報、大雨警報のいずれかが受信されると、車両１００を所定の避難場所に避難させるようにしたが、第１災害情報はこれに限らない。上記実施形態では、退避災害情報として弾道ミサイルの発射警報、地震速報のいずれかが受信されると、車両１００を路肩等に停車させるようにしたが、第２災害情報はこれに限らない。上記実施形態では、通信ユニット１７を介して災害情報が受信されると、スピーカ１３ｂから警報を報知するようにしたが、ディスプレイに警報を表示するようにしてもよく、報知部の構成は上述したものに限らない。燃費性能を重視したエコモード、動力性能を重視したスポーツモード、動力性能と燃費性能を両立したノーマルモード等に走行モードを選択可能に自動車両を構成してもよい。この場合、災害情報が受信されると、走行モードをスポーツモードに変更するようにしてもよい。
【００７３】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【００７４】
１  エンジン、３  変速機、５  スタータモータ、６ａ  制御弁、１３ａ  手動自動切換スイッチ、１３ｂ  スピーカ、１７  通信ユニット、２０  コントローラ、２６  走行制御部、１００  自動運転車両、ＡＣ  走行用アクチュエータ
【図１】
2019206300.tif 000003
【図２】
2019206300.tif 000004
【図３】
2019206300.tif 000005
【図４】
2019206300.tif 000006
【図５】
2019206300.tif 000007